(57)【要約】【課題】検査者の検品作業を評価するサーバ装置、評価方法及び評価プログラムを提供する。【解決手段】サーバ装置は、検査対象の物品を撮影した撮影画像を、順次、取得する取得部と、前記取得部が取得した順序で前記撮影画像を表示する際、所定のタイミングで、検査結果が既知の物品を撮影した模擬画像を表示する表示制御部と、前記撮影画像に含まれる検査対象の物品を検査した数と、前記模擬画像に含まれる物品を検査した際の検査結果が既知の検査結果と一致する割合とに基づいて、評価値を算出する評価値算出部とを有する。【選択図】図８
2020140119.tif 000002
【特許請求の範囲】
【請求項１】
検査対象の物品を撮影した撮影画像を、順次、取得する取得部と、
前記取得部が取得した順序で前記撮影画像を表示する際、所定のタイミングで、検査結果が既知の物品を撮影した模擬画像を表示する表示制御部と、
前記撮影画像に含まれる検査対象の物品を検査した数と、前記模擬画像に含まれる物品を検査した際の検査結果が既知の検査結果と一致する割合とに基づいて、評価値を算出する評価値算出部と
を有するサーバ装置。
【請求項２】
前記評価値算出部は、前記既知の検査結果と一致する割合に基づいて予め定められた係数を、前記撮影画像に含まれる検査対象の物品を検査した数にかけ合わせることで、前記評価値を算出する、請求項１に記載のサーバ装置。
【請求項３】
前記既知の検査結果と一致する割合が最も高い検査者を特定し、特定した該検査者が、前記撮影画像に含まれる検査対象の物品を検査した際の検査結果と、前記撮影画像とを対応付けることで、前記模擬画像を含む模擬情報を生成する模擬情報生成部を更に有する、請求項２に記載のサーバ装置。
【請求項４】
検査対象の物品を撮影した撮影画像を、順次、取得し、
取得した順序で前記撮影画像を表示する際、所定のタイミングで、検査結果が既知の物品を撮影した模擬画像を表示し、
前記撮影画像に含まれる検査対象の物品を検査した数と、前記模擬画像に含まれる物品を検査した際の検査結果が既知の検査結果と一致する割合とに基づいて、評価値を算出する、
処理をコンピュータが実行する評価方法。
【請求項５】
検査対象の物品を撮影した撮影画像を、順次、取得し、
取得した順序で前記撮影画像を表示する際、所定のタイミングで、検査結果が既知の物品を撮影した模擬画像を表示し、
前記撮影画像に含まれる検査対象の物品を検査した数と、前記模擬画像に含まれる物品を検査した際の検査結果が既知の検査結果と一致する割合とに基づいて、評価値を算出する、
処理をコンピュータに実行させるための評価プログラム。
【発明の詳細な説明】
【技術分野】
【０００１】
本発明は、サーバ装置、評価方法及び評価プログラムに関する。
【背景技術】
【０００２】
従来より、目視による検品作業は様々な分野において行われている。例えば、空港における手荷物の検査や、製造ラインにおける完成品の検査、物流ラインにおける仕分け済み商品の検査等が挙げられる。これらの分野においては、検査者の高い作業効率と作業品質とが求められる。
【先行技術文献】
【特許文献】
【０００３】
【特許文献１】特開２０１６−２０９５３号公報
【発明の概要】
【発明が解決しようとする課題】
【０００４】
一方で、高い作業効率と作業品質とを維持するためには、検査者の検品作業を的確に評価し、検査者のモチベーションを維持することが重要となる。
【０００５】
一つの側面では、検査者の検品作業を評価するサーバ装置、評価方法及び評価プログラムを提供することを目的としている。
【課題を解決するための手段】
【０００６】
一態様によれば、サーバ装置は、
検査対象の物品を撮影した撮影画像を、順次、取得する取得部と、
前記取得部が取得した順序で前記撮影画像を表示する際、所定のタイミングで、検査結果が既知の物品を撮影した模擬画像を表示する表示制御部と、
前記撮影画像に含まれる検査対象の物品を検査した数と、前記模擬画像に含まれる物品を検査した際の検査結果が既知の検査結果と一致する割合とに基づいて、検査者を評価するための評価値を算出する評価値算出部とを有する。
【発明の効果】
【０００７】
検査者の検品作業を評価するサーバ装置、評価方法及び評価プログラムを提供することができる。
【図面の簡単な説明】
【０００８】
【図１】空港における検品システムのシステム構成の一例を示す図である。
【図２】検査者の評価方法を説明するための図である。
【図３】サーバ装置のハードウェア構成の一例を示す図である。
【図４】サーバ装置の機能構成の一例を示す図である。
【図５】模擬情報の具体例を示す図である。
【図６】表示制御部による表示制御処理の流れを示すフローチャートである。
【図７】評価値算出部による評価値算出処理の流れを示すフローチャートである。
【図８】評価値算出処理が実行されることで得られる各種情報の一例を示す図である。
【図９】模擬情報生成部による模擬情報生成処理の流れを示すフローチャートである。
【発明を実施するための形態】
【０００９】
以下、各実施形態について添付の図面を参照しながら説明する。なお、本明細書及び図面において、実質的に同一の機能構成を有する構成要素については、同一の符号を付することにより重複した説明を省略する。
【００１０】
［第１の実施形態］
＜検品システムのシステム構成＞
はじめに、検査対象の物品を検査する検品システムのシステム構成について説明する。なお、本実施形態では、検品システムが、空港における手荷物検査に用いられるケースについて説明する。
【００１１】
図１は、検品システムのシステム構成の一例を示す図である。図１に示すように、検品システム１００は、表示装置１１０と、サーバ装置１３０とを有する。また、検品システム１００は、制御装置１５０＿１〜１５０＿３と、撮像装置１６０＿１〜１６０＿３と、操作スイッチ１７０＿１〜１７０＿７とを有する。
【００１２】
表示装置１１０と、サーバ装置１３０とは、ネットワーク１４０を介して通信可能に接続される。同様に、サーバ装置１３０と制御装置１５０＿１〜１５０＿３とは、ネットワーク１４０を介して通信可能に接続される。
【００１３】
なお、表示装置１１０は、撮像装置１６０＿１〜１６０＿３が検査対象の物品である乗客の手荷物を撮影することで得た撮影画像を、サーバ装置１３０から受信し、表示する。表示装置１１０は、画面が４分割されており、各分割画面に、撮影画像を表示する。
【００１４】
表示装置１１０の各分割画面に撮影画像が表示されることで、検査者１２０は、撮影画像に含まれる手荷物を検査する（正常か異常かを検査し、検査結果を表示装置１１０に入力する）。また、検査者１２０により入力された検査結果は、各種情報とともに、検品情報としてサーバ装置１３０に送信される。
【００１５】
なお、図１の例は、検査者１２０が、検査ライン１８０＿１〜１８０＿３に載置された手荷物（つまり、３ライン分の手荷物）を検査する場合について示しているが、検査者１２０が検査するライン数は３ラインに限定されず、４ライン以上であってもよい。また、４ライン以上の場合、表示装置を複数台配し、複数の検査者（表示装置の台数に応じた数の検査者）により検査が行われてもよい。
【００１６】
サーバ装置１３０は、撮像装置１６０＿１〜１６０＿３が手荷物を撮影することで得た撮影画像を制御装置１５０＿１〜１５０＿３から受信する。なお、撮影画像には、いずれの検査ラインで撮影された撮影画像であるのかを特定するためのラインＩＤが対応付けられているものとする。サーバ装置１３０は、撮影画像を、取得した順序で表示装置１１０に送信する。これにより、表示装置１１０の分割画面には、サーバ装置１３０が取得した撮影画像が、サーバ装置１３０が取得した順序で表示される。
【００１７】
また、サーバ装置１３０は、表示装置１１０より検品情報を受け付け、手荷物が異常であるとの検査結果であった場合には、ラインＩＤに基づいて、対応する制御装置（制御装置１５０＿１〜１５０＿３のいずれか）に、当該検査結果を通知する。
【００１８】
制御装置１５０＿１〜１５０＿３は、それぞれ、撮像装置１６０＿１〜１６０＿３と接続され、撮像装置１６０＿１〜１６０＿３が手荷物を撮影することで得た撮影画像を、ラインＩＤと対応付けてサーバ装置１３０に送信する。
【００１９】
また、制御装置１５０＿１〜１５０＿３は、それぞれ、操作スイッチ１７０＿１〜１７０＿３と接続され、操作スイッチ１７０＿１〜１７０＿３が押圧された場合に、操作スイッチ１７０＿１〜１７０＿３から検査開始指示を受信する。制御装置１５０＿１〜１５０＿３は、検査開始指示を受信すると、撮像装置１６０＿１〜１６０＿３に対して静止画像を撮影するよう指示し（撮影指示を出力し）、撮像装置１６０＿１〜１６０＿３より撮影画像として静止画像を得る。
【００２０】
あるいは、制御装置１５０＿１〜１５０＿３は、撮像装置１６０＿１〜１６０＿３から送信される動画像を常時受信しておき、検査開始指示を受信すると、対応する動画像からフレーム画像を抽出し、撮影画像を得る。
【００２１】
なお、図１には示していないが、制御装置１５０＿１〜１５０＿３には、それぞれ、操作スイッチ１７０＿１〜１７０＿３の代わりに、手荷物が撮影位置に搬送されたことを検知する検知センサが接続されていてもよい。この場合、制御装置１５０＿１〜１５０＿３は、それぞれ、対応する検知センサが手荷物を検知した場合に、検知センサから検査開始指示を受信する。
【００２２】
撮像装置１６０＿１〜１６０＿３は、それぞれ、検査ライン１８０＿１〜１８０＿３に載置された手荷物を撮影する。上述したように、撮像装置１６０＿１〜１６０＿３にて撮影される撮影画像は、静止画像であっても動画像であってもよい。なお、静止画像の場合、撮像装置１６０＿１〜１６０＿３は、対応する操作スイッチ１７０＿１〜１７０＿３が押圧され、制御装置１５０＿１〜１５０＿３から撮影指示が出力された場合に撮影を行い、静止画像を制御装置１５０＿１〜１５０＿３に送信する。一方、動画像の場合、撮像装置１６０＿１〜１６０＿３は、常時撮影を行い、撮影した動画像を制御装置１５０＿１〜１５０＿３にストリーミング送信する。
【００２３】
操作スイッチ１７０＿１〜１７０＿３は、例えば、手荷物の所持者によって操作される。手荷物の所持者は、手荷物を検査ライン１８０＿１〜１８０＿３のいずれかに載置し、撮影位置まで搬送させた後に、操作スイッチ１７０＿１〜１７０＿３を操作する。操作スイッチ１７０＿１〜１７０＿３が操作されることで、制御装置１５０＿１〜１５０＿３に対して、検査開始指示が送信される。
【００２４】
＜検査者の評価方法＞
次に、空港における手荷物の検査における、検品システム１００による検査者の評価方法について説明する。図２は、検査者の評価方法を説明するための図である。図２の例は、検査ライン１８０＿１に手荷物Ａ１、Ａ２が載置され、検査ライン１８０＿２に手荷物Ｂ１、Ｂ２が載置され、検査ライン１８０＿３に手荷物Ｃ１、Ｃ２が載置された様子を示している。なお、検査ライン１８０＿１〜１８０＿３は、上方に載置されている手荷物ほど、先に検査される手荷物であることを示している。
【００２５】
図２の例の場合、手荷物Ａ１→Ｃ１→Ｂ１→Ａ２→Ｃ２→Ｂ２の順序で撮影画像が取得され、表示装置１１０には、当該順序で撮影画像が表示される。ここで、本実施形態に係るサーバ装置１３０では、撮像装置１６０＿１〜１６０＿３それぞれにおいて撮影された撮影画像を、表示装置１１０に送信するにあたり、所定のタイミングで、模擬画像を読み出す。模擬画像とは、検査結果が既知の物品を撮影した撮影画像である。
【００２６】
そして、本実施形態に係るサーバ装置１３０では、読み出した模擬画像を、配列した撮影画像の間に挿入し、表示装置１１０に送信する。図２の例は、手荷物Ｂ１の撮影画像と手荷物Ａ２の撮影画像との間に模擬画像Ｅ１が挿入され、表示装置１１０の分割画面２０４に表示された様子を示している。なお、図２の例では、既に、分割画面２０１に、手荷物Ａ１の撮影画像が、分割画面２０２に手荷物Ｃ１の撮影画像が、分割画面２０３に手荷物Ｂ１の撮影画像が表示されている。
【００２７】
このように、配列した撮影画像の間に模擬画像を挿入することで、検査者１２０は、模擬画像についても撮影画像と同様の検査を行う。このとき、サーバ装置１３０では、検査者１２０による模擬画像の検査結果が、当該模擬画像に対応付けられた既知の検査結果と一致するか否かを判定することで、検査者１２０の作業品質を評価する。
【００２８】
また、サーバ装置１３０では、あわせて、所定期間内に検査者１２０が撮影画像を検査した検査回数をカウントすることで、検査者１２０の作業効率を評価する。
【００２９】
そして、サーバ装置１３０では、検査者１２０の作業品質と作業効率とに基づいて検査者１２０の検品作業を評価する。これにより、検査者１２０の検品作業を的確に評価することができる。
【００３０】
なお、図２に示すように、検査者１２０は、分割画面に表示された撮影画像（または模擬画像）に含まれる手荷物が正常であった場合、指を矢印２１０方向に動かすことで、検査結果を入力する。また、検査者１２０は、分割画面に表示された撮影画像（または模擬画像）に含まれる手荷物が異常であった場合、指を矢印２２０方向に動かすことで、検査結果を入力する。
【００３１】
図２の例は、分割画面２０１に表示された撮影画像に含まれる手荷物Ａ１について、検査者１２０は、正常であるとの検査結果を入力したことを示している。また、図２の例は、分割画面２０４に表示された模擬画像に含まれる手荷物について、検査者１２０は、異常であるとの検査結果を入力したことを示している。
【００３２】
＜サーバ装置のハードウェア構成＞
図３は、サーバ装置のハードウェア構成の一例を示す図である。図３に示すように、サーバ装置１３０は、ＣＰＵ（Central  Processing  Unit）３０１、ＲＯＭ（Read  Only  Memory）３０２、ＲＡＭ（Random  Access  Memory）３０３を有する。ＣＰＵ３０１、ＲＯＭ３０２、ＲＡＭ３０３は、いわゆるコンピュータを形成する。
【００３３】
また、サーバ装置１３０は、補助記憶部３０４、表示部３０５、操作部３０６、Ｉ／Ｆ（Interface）部３０７、ドライブ部３０８を有する。なお、サーバ装置１３０の各ハードウェアは、バス３０９を介して相互に接続されている。
【００３４】
ＣＰＵ３０１は、補助記憶部３０４にインストールされている各種プログラム（例えば、後述する評価プログラム等）を実行する演算デバイスである。
【００３５】
ＲＯＭ３０２は、不揮発性メモリである。ＲＯＭ３０２は、補助記憶部３０４にインストールされている各種プログラムをＣＰＵ３０１が実行するために必要な各種プログラム、データ等を格納する主記憶デバイスとして機能する。具体的には、ＲＯＭ３０２はＢＩＯＳ（Basic  Input/Output  System）やＥＦＩ（Extensible  Firmware  Interface）等のブートプログラム等を格納する、主記憶デバイスとして機能する。
【００３６】
ＲＡＭ３０３は、ＤＲＡＭ（Dynamic  Random  Access  Memory）やＳＲＡＭ（Static  Random  Access  Memory）等の揮発性メモリである。ＲＡＭ３０３は、補助記憶部３０４にインストールされている各種プログラムがＣＰＵ３０１によって実行される際に展開される作業領域を提供する、主記憶デバイスとして機能する。
【００３７】
補助記憶部３０４は、各種プログラムや、各種プログラムが実行される際に用いられる情報、各種プログラム実行されることで生成される情報等を格納する補助記憶デバイスである。後述する模擬情報格納部４７０及び評価情報格納部４８０は、補助記憶部３０４において実現される。
【００３８】
表示部３０５は、サーバ装置１３０の内部状態を表示する表示デバイスである。操作部３０６は、サーバ装置１３０の管理者がサーバ装置１３０に対して各種指示を入力するための入力デバイスである。Ｉ／Ｆ部３０７は、ネットワーク１４０に接続され、サーバ装置１３０が、表示装置１１０、制御装置１５０＿１〜１５０＿３との間で通信を行うための通信デバイスである。
【００３９】
ドライブ部３０８は記録媒体３１０をセットするためのデバイスである。ここでいう記録媒体３１０には、ＣＤ−ＲＯＭ、フレキシブルディスク、光磁気ディスク等のように情報を光学的、電気的あるいは磁気的に記録する媒体が含まれる。また、記録媒体３１０には、ＲＯＭ、フラッシュメモリ等のように情報を電気的に記録する半導体メモリ等が含まれていてもよい。
【００４０】
なお、補助記憶部３０４にインストールされる各種プログラムは、例えば、配布された記録媒体３１０がドライブ部３０８にセットされ、該記録媒体３１０に記録された各種プログラムがドライブ部３０８により読み出されることでインストールされる。あるいは、補助記憶部３０４にインストールされる各種プログラムは、Ｉ／Ｆ部３０７を介して、ネットワーク１４０よりダウンロードされることでインストールされてもよい。
【００４１】
＜サーバ装置の機能構成＞
次に、サーバ装置１３０の機能構成について説明する。図４は、サーバ装置の機能構成の一例を示す図である。上述したとおり、サーバ装置１３０には、評価プログラムがインストールされている。サーバ装置１３０は、当該評価プログラムを実行することで、取得部４１０、表示制御部４２０、検品情報受付部４３０、検査結果出力部４４０、評価値算出部４５０、模擬情報生成部４６０として機能する。
【００４２】
取得部４１０は、ネットワーク１４０を介して制御装置１５０＿１〜１５０＿３から送信される、ラインＩＤが対応付けられた撮影画像を取得する。
【００４３】
表示制御部４２０は、取得部４１０において取得された撮影画像を、取得された順序で配列して、表示装置１１０に送信する。また、表示制御部４２０は、所定のタイミングで、模擬情報格納部４７０を参照し、既知の検査結果（正常ｏｒ異常）が対応付けられた模擬画像を読み出す。また、表示制御部４２０は、読み出した模擬画像を、配列した撮影画像の間に挿入し、表示装置１１０に送信する。
【００４４】
検品情報受付部４３０は、表示装置１１０から送信される検品情報を受け付ける。なお、検品情報受付部４３０が受け付ける検品情報には、撮影画像が表示された場合にあっては、
・ラインＩＤが対応付けられた撮影画像、
・撮影画像についての検査結果（正常ｏｒ異常）、
が含まれるものとする。
【００４５】
また、模擬画像が表示された場合にあっては、検品情報には、
・既知の検査結果（正常ｏｒ異常）が対応付けられた模擬画像、
・模擬画像についての検査結果（正常ｏｒ異常）、
が含まれるものとする。
【００４６】
また、検品情報受付部４３０は、受け付けた検品情報を評価値算出部４５０に通知する。また、検品情報受付部４３０は、受け付けた検品情報が撮影画像についての検品情報である場合（ラインＩＤが対応付けられている場合）、検査結果が正常であったか異常であったかを判定する。更に、検品情報受付部４３０は、検査結果が異常であったと判定した場合には、当該検査結果（異常）と、ラインＩＤとを検査結果出力部４４０に通知する。
【００４７】
検査結果出力部４４０は、検品情報受付部４３０より、検査結果（異常）とラインＩＤとが通知されると、ラインＩＤに対応する制御装置（制御装置１５０＿１〜１５０＿３のいずれか）に、検査結果（手荷物が異常であること）を通知する。
【００４８】
評価値算出部４５０は、検品情報受付部４３０より通知された検品情報が撮影画像についての検品情報である場合には（ラインＩＤが対応付けられている場合には）、検品情報に含まれる撮影画像と検査結果（正常ｏｒ異常）とを、評価情報格納部４８０に格納する。また、評価値算出部４５０は、検品情報が通知された回数を、検査回数としてカウントする。
【００４９】
また、評価値算出部４５０は、検品情報受付部４３０より通知された検品情報が模擬画像についての検品情報である場合には（ラインＩＤが対応付けられていない場合には）、検品情報が通知された回数を、模擬検査回数としてカウントする。また、評価値算出部４５０は、検品情報に含まれる、検査結果（正常ｏｒ異常）と、模擬画像に対応付けられた検査結果（正常ｏｒ異常）とが一致するか否かを判定し、一致する場合には、一致数を模擬正解数としてカウントする。また、評価値算出部４５０は、模擬正解数を模擬検査回数で割ることで、正答率を算出する。
【００５０】
更に、評価値算出部４５０は、算出した正答率に応じたポイント係数を用いてポイント数（評価値）を算出し、評価情報として、評価情報格納部４８０に格納する。
【００５１】
模擬情報生成部４６０は、評価情報格納部４８０に格納された評価情報に基づいて、作業品質が最も高い検査者を特定し、特定した検査者による検査結果（撮影画像についての検査結果）を撮影画像と対応付けて模擬画像を生成し、模擬情報格納部４７０に格納する。
【００５２】
＜模擬情報の具体例＞
次に、模擬情報の具体例について説明する。図５は、模擬情報の具体例を示す図である。図５に示すように、模擬情報５００には、情報の項目として、“模擬画像”、“検査結果”が含まれる。“模擬画像”には、検査結果が既知の手荷物を撮影した画像が格納される。“検査結果”には、“模擬画像”に格納された画像に含まれる手荷物についての検査結果（〇：正常、×：異常）が、模擬画像と対応付けて格納される。
【００５３】
＜表示制御部による表示制御処理の流れ＞
次に、表示制御部４２０による表示制御処理の流れについて説明する。図６は、表示制御部による表示制御処理の流れを示すフローチャートである。
【００５４】
ステップＳ６０１において、表示制御部４２０は、取得部４１０より通知された撮影画像を取得する。
【００５５】
ステップＳ６０２において、表示制御部４２０は、取得された順序で撮影画像を配列する。
【００５６】
ステップＳ６０３において、表示制御部４２０は、所定のタイミングに到達したか否かを判定する。ステップＳ６０３において、所定のタイミングに到達していないと判定した場合には（ステップＳ６０３においてＮｏの場合には）、ステップＳ６０５に進む。一方、ステップＳ６０３において、所定のタイミングに到達したと判定した場合には（ステップＳ６０３においてＹｅｓの場合には）、ステップＳ６０４に進む。
【００５７】
ステップＳ６０４において、表示制御部４２０は、模擬情報格納部４７０を参照し、既知の検査結果が対応付けられた模擬画像を読み出し、配列した撮影画像に挿入する。
【００５８】
ステップＳ６０５において、表示制御部４２０は、配列した撮影画像（及び模擬画像）を表示装置１１０に送信する。これにより、表示装置１１０の分割画面には、撮影画像または模擬画像が表示される。
【００５９】
ステップＳ６０６において、表示制御部４２０は、表示制御処理を終了するか否かを判定する。ステップＳ６０６において、終了しないと判定した場合には（ステップＳ６０６においてＮｏの場合には）、ステップＳ６０１に戻る。一方、ステップＳ６０６において、終了すると判定した場合には（ステップＳ６０６においてＹｅｓの場合には）、表示制御処理を終了する。
【００６０】
＜評価値算出処理の流れ＞
次に、評価値算出部４５０による評価値算出処理の流れについて説明する。図７は、評価値算出部による評価値算出処理の流れを示すフローチャートである。
【００６１】
ステップＳ７０１において、評価値算出部４５０は、検品情報受付部４３０より検品情報が通知されたか否かを判定する。ステップＳ７０１において、検品情報が通知されていないと判定した場合には（ステップＳ７０１においてＮｏの場合には）、ステップＳ７１０に進む。一方、ステップＳ７０１において、検品情報が通知されたと判定した場合には（ステップＳ７０１においてＹｅｓの場合には）、ステップＳ７０２に進む。
【００６２】
ステップＳ７０２において、評価値算出部４５０は、通知された検品情報が、模擬画像についての検品情報か、撮影画像についての検品情報かを判定する。評価値算出部４５０は、検品情報に含まれる画像に、ラインＩＤが対応付けられているか否かを判定することで、模擬画像についての検品情報か、撮影画像についての検品情報かを判定する。
【００６３】
具体的には、評価値算出部４５０は、ラインＩＤが対応付けられていないと判定した場合には、模擬画像についての検品情報であると判定し、ステップＳ７０３に進む。一方、評価値算出部４５０は、ラインＩＤが対応付けられていると判定した場合には、撮影画像についての検品情報であると判定し、ステップＳ７０６に進む。
【００６４】
ステップＳ７０３において、評価値算出部４５０は、模擬画像についての検品情報が通知された回数を、模擬検査回数としてカウントする。
【００６５】
ステップＳ７０４において、評価値算出部４５０は、検品情報に含まれる、検査結果（正常ｏｒ異常）と、模擬画像に対応付けられた検査結果（正常ｏｒ異常）とが一致するか否かを判定し、一致する場合には、一致数を模擬正解数としてカウントする。
【００６６】
ステップＳ７０５において、評価値算出部４５０は、ステップＳ７０４においてカウントした模擬正解数を、ステップＳ７０３でカウントした模擬検査回数で割ることで、正答率を算出する。
【００６７】
一方、ステップＳ７０６において、評価値算出部４５０は、検品情報に含まれる撮影画像と検査結果（正常ｏｒ異常）とを、評価情報格納部４８０に格納する。
【００６８】
ステップＳ７０７において、評価値算出部４５０は、撮影画像についての検品情報が通知された回数を、検査回数としてカウントする。
【００６９】
ステップＳ７０８において、評価値算出部４５０は、所定期間（例えば、１か月）が経過したか否かを判定する。ステップＳ７０８において、所定期間が経過していないと判定した場合には（ステップＳ７０８においてＮｏの場合には）、ステップＳ７０１に戻る。
【００７０】
一方、ステップＳ７０８において、所定期間が経過したと判定した場合には（ステップＳ７０８においてＹｅｓの場合には）、ステップＳ７０９に進む。ステップＳ７０９において、評価値算出部４５０は、算出した正答率に応じたポイント係数を用いてポイント数（評価値）を算出し、評価情報として、評価情報格納部４８０に格納する。
【００７１】
ステップＳ７１０において、評価値算出部４５０は、評価値算出処理を終了するか否かを判定する。ステップＳ７１０において、評価値算出処理を終了しないと判定した場合には（ステップＳ７１０においてＮｏの場合には）、ステップＳ７０１に戻る。一方、ステップＳ７１０において、評価値算出処理を終了すると判定した場合には（ステップＳ７１０においてＹｅｓの場合には）、評価値算出処理を終了する。
【００７２】
＜評価値算出処理結果の具体例＞
次に、評価値算出部４５０により評価値算出処理が実行されることで得られる各種情報について説明する。図８は、評価値算出処理が実行されることで得られる各種情報の一例を示す図である。
【００７３】
図８に示す各種情報のうち、作業効率情報８１０は、図７のステップＳ７０７において、評価値算出部４５０が、検査回数をカウントすることで生成される。図８に示すように、作業効率情報８１０には、情報の項目として、“検査者”、“検査回数”が含まれる。“検査者”には、検品システム１００において検品作業を行う検査者を示す情報が格納される。
“検査回数”には、図７のステップＳ７０７において、評価値算出部４５０がカウントした検査回数が格納される。
【００７４】
作業品質情報８２０は、図７のステップＳ７０３からＳ７０５において、評価値算出部４５０が、模擬検査回数及び模擬正解数をカウントし、正答率を算出することで生成される。図８に示すように、作業品質情報８２０には、情報の項目として、“検査者”、“模擬検査回数”、“模擬正解数”、“正答率”が含まれる。
【００７５】
“検査者”には、検品システム１００において検品作業を行う検査者を示す情報が格納される。“模擬検査回数”には、図７のステップＳ７０３において、評価値算出部４５０がカウントした模擬検査回数が格納される。“模擬正解数”には、図７のステップＳ７０４において、評価値算出部４５０がカウントした模擬正解数が格納される。“正答率”には、図７のステップＳ７０５において、評価値算出部４５０が算出した正答率が格納される。
【００７６】
係数情報８３０は、正答率に応じたポイント係数が規定されたテーブルである。係数情報８３０には、情報の項目として、“品質（正答率）”と、“ポイント係数”とが含まれる。“品質（正答率）”には、正答率の範囲が格納され、“ポイント係数”には、正答率の範囲それぞれに対応する係数が格納される。正答率が高いほど、ポイント係数も高くなり、正答率が低いほど、ポイント係数も低くなるように規定されている。
【００７７】
評価情報８４０は、各検査者のポイント数（評価値）を格納したテーブルである。評価情報８４０には、情報の項目として、“検査者”、“検査回数”、“品質（正答率）”、“ポイント係数”、“ポイント数”が含まれる。
【００７８】
“検査者”には、検品システム１００において検品作業を行う検査者を示す情報が格納される。“検査回数”には、作業効率情報８１０の“検査回数”に格納された検査回数が格納される。
【００７９】
“品質（正答率）”には、作業品質情報８２０の“正答率”に格納された正答率が格納される。“ポイント係数”には、“品質（正答率）”に格納された正答率に対応するポイント係数が、係数情報８３０に基づいて格納される。
【００８０】
“ポイント数”には、対応する検査者の評価値であるポイント数が格納される。“ポイント数”に格納されるポイント数は、“検査回数”に格納された検査回数に、“ポイント係数”に格納された係数をかけ合わせることで算出される。
【００８１】
このように、評価値算出部４５０によれば、所定期間あたりの各検査者の作業効率を示す検査回数と、所定期間における各検査者の作業品質を示す正答率とに基づいて算出されるポイント数を、評価値として算出する。これにより、評価値算出部４５０によれば、各検査者の作業効率及び作業品質を的確に評価することができる。
【００８２】
＜模擬情報生成処理の流れ＞
次に、模擬情報生成部４６０による模擬情報生成処理の流れについて説明する。図９は、模擬情報生成部による模擬情報生成処理の流れを示すフローチャートである。
【００８３】
ステップＳ９０１において、模擬情報生成部４６０は、評価情報８４０に格納された“正答率”を参照することで、正答率が最も高い検査者を特定する。
【００８４】
ステップＳ９０２において、模擬情報生成部４６０は、特定した検査者の検査結果及び対応する撮影画像を、評価情報格納部４８０より所定数抽出する。
【００８５】
ステップＳ９０３において、模擬情報生成部４６０は、抽出した撮影画像を模擬画像として、抽出した検査結果とともに、模擬情報５００に追加する。
【００８６】
以上の説明から明らかなように、第１の実施形態に係るサーバ装置では、検査対象の物品を撮影した撮影画像を、順次、取得し、取得した順序で、撮影画像を表示する。また、第１の実施形態に係るサーバ装置では、撮影画像を表示する際、所定のタイミングで、検査結果が既知の物品を撮影した模擬画像を表示する。更に、第１の実施形態に係るサーバ装置では、撮影画像に含まれる検査対象の物品を検査した数と、模擬画像に含まれる物品を検査した際の検査結果が既知の検査結果と一致する割合とに基づいて、評価値を算出する。
【００８７】
これにより、第１の実施形態に係るサーバ装置によれば、検査者の作業効率と検査者の作業品質とに基づいて、評価値を算出することができる。この結果、第１の実施形態に係るサーバ装置によれば、検査者の検品作業を的確に評価することができる。
【００８８】
［第２の実施形態］
上記第１の実施形態では、正答率に応じたポイント係数を、検査回数にかけ合わせることで、評価値を算出するものとして説明した。しかしながら、評価値の算出方法はこれに限定されず、作業品質を示す正答率と、作業効率を示す検査回数とに基づいて算出する算出方法であれば、他の算出方法により算出してもよい。
【００８９】
また、上記第１の実施形態において模擬情報生成部４６０は、評価情報８４０を参照し、正答率が最も高い検査者を特定するものとして説明した。しかしながら、検査者の特定方法はこれに限定されず、例えば、模擬情報生成部４６０は、評価値（ポイント数）が最も高い検査者を特定するようにしてもよい。
【００９０】
また、上記第１の実施形態では、各検査者について算出した評価値の利用方法について特に言及しなかったが、例えば、各検査者について算出した評価値は、各検査者の翌月の労働報酬に反映させるようにしてもよい。
【００９１】
また、上記第１の実施形態では、空港における手荷物検査に検品システム１００を適用する場合について説明した。しかしながら、検品システム１００の適用先は、空港における手荷物検査に限定されない。例えば、製造ラインにおける完成品の検査や、物流ラインにおける仕分け済み商品の検査等に、検品システム１００を適用してもよい。
【００９２】
なお、開示の技術では、以下に記載する付記のような形態が考えられる。
（付記１）
検査対象の物品を撮影した撮影画像を、順次、取得する取得部と、
前記取得部が取得した取得順序で前記撮影画像を表示する際、所定のタイミングで、検査結果が既知の物品を撮影した模擬画像を表示する表示制御部と、
前記撮影画像に含まれる検査対象の物品を検査した数と、前記模擬画像に含まれる物品を検査した際の検査結果が既知の検査結果と一致する割合とに基づいて、評価値を算出する評価値算出部と
を有するサーバ装置。
（付記２）
前記評価値算出部は、前記既知の検査結果と一致する割合に基づいて予め定められた係数を、前記撮影画像に含まれる検査対象の物品を検査した数にかけ合わせることで、前記評価値を算出する、付記１に記載のサーバ装置。
（付記３）
前記既知の検査結果と一致する割合が最も高い検査者を特定し、特定した該検査者が、前記撮影画像に含まれる検査対象の物品を検査した際の検査結果と、前記撮影画像とを対応付けることで、前記模擬画像を含む模擬情報を生成する模擬情報生成部を更に有する、付記２に記載のサーバ装置。
（付記４）
検査対象の物品を撮影した撮影画像を、順次、取得し、
取得した取得順序で前記撮影画像を表示する際、所定のタイミングで、検査結果が既知の物品を撮影した模擬画像を表示し、
前記撮影画像に含まれる検査対象の物品を検査した数と、前記模擬画像に含まれる物品を検査した際の検査結果が既知の検査結果と一致する割合とに基づいて、評価値を算出する、
処理をコンピュータが実行する評価方法。
（付記５）
検査対象の物品を撮影した撮影画像を、順次、取得し、
取得した取得順序で前記撮影画像を表示する際、所定のタイミングで、検査結果が既知の物品を撮影した模擬画像を表示し、
前記撮影画像に含まれる検査対象の物品を検査した数と、前記模擬画像に含まれる物品を検査した際の検査結果が既知の検査結果と一致する割合とに基づいて、評価値を算出する、
処理をコンピュータに実行させるための評価プログラム。
なお、上記実施形態に挙げた構成等に、その他の要素との組み合わせ等、ここで示した構成に本発明が限定されるものではない。これらの点に関しては、本発明の趣旨を逸脱しない範囲で変更することが可能であり、その応用形態に応じて適切に定めることができる。
【符号の説明】
【００９３】
１００                  ：検品システム
１１０                  ：表示装置
１３０                  ：サーバ装置
１５０＿１〜１５０＿３  ：制御装置
１６０＿１〜１６０＿３  ：撮像装置
１７０＿１〜１７０＿３  ：操作スイッチ
４１０                  ：取得部
４２０                  ：表示制御部
４３０                  ：検品情報受付部
４４０                  ：検査結果出力部
４５０                  ：評価値算出部
４６０                  ：模擬情報生成部
５００                  ：模擬情報
８１０                  ：作業効率情報
８２０                  ：作業品質情報
８３０                  ：係数情報
８４０                  ：評価情報
【図１】
2020140119.tif 000003
【図２】
2020140119.tif 000004
【図３】
2020140119.tif 000005
【図４】
2020140119.tif 000006
【図５】
2020140119.tif 000007
【図６】
2020140119.tif 000008
【図７】
2020140119.tif 000009
【図８】
2020140119.tif 000010
【図９】
2020140119.tif 000011